(57)【要約】【課題】通信相手の無線端末機器に応じて送受信する無線信号の形式を変更することにより、無線端末機器の内蔵電池の消耗を抑えることを可能にした無線端末機器を提供する。【解決手段】通信相手の無線端末機器との間で無線信号を送受信する無線端末機器であって、通信相手の無線端末機器がホットスポットである場合、送受信する無線信号として、ベースバンド信号をスペクトル拡散し、得られたスペクトル拡散信号をマッピングしてＩＱ信号を形成し、形成したＩＱ信号をＱＰＳＫ変調して高周波信号を形成し、この高周波信号による無線信号を選択使用するようにし、また、通信相手の無線端末機器が近距離にある無線端末機器である場合、送受信する無線信号として、ベースバンド信号を直接変調することによりＩＱ信号を形成し、形成したＩＱ信号をＱＰＳＫ変調して高周波信号を形成し、この高周波信号による無線信号を選択使用するようにした。【選択図】        図１
2005020493.tif 000002
【特許請求の範囲】
【請求項１】
通信相手の無線端末機器との間で無線信号を送受信する無線端末機器であって、通信相手の無線端末機器がホットスポットである場合、送受信する無線信号として、ベースバンド信号をスペクトル拡散し、得られたスペクトル拡散信号をマッピングしてＩＱ信号を形成し、形成したＩＱ信号をＱＰＳＫ変調して高周波信号を形成し、この高周波信号による無線信号を選択使用し、通信相手の無線端末機器が近距離にある無線端末機器である場合、送受信する無線信号として、ベースバンド信号を直接変調してＩＱ信号を形成し、形成したＩＱ信号をＱＰＳＫ変調して高周波信号を形成し、この高周波信号による無線信号を選択使用することを特徴とする無線端末機器。
【請求項２】
前記近距離にある無線端末機器と無線信号の送受信を行う場合、ベースバンド信号を直接変調するときにＡＳＫ変調を用いていることを特徴とする請求項１に記載の無線端末機器。
【請求項３】
前記近距離にある無線端末機器と無線信号の送受信を行う場合、ベースバンド信号を直接変調するときにＦＳＫ変調を用いていることを特徴とする請求項１に記載の無線端末機器。
【請求項４】
前記近距離にある無線端末機器と無線信号の送受信を行う場合、前記ホットスポットと無線信号の送受信を行う場合に比べて、送信する無線信号の出力電力レベルを低下させることを特徴とする請求項１乃至３のいずれかに記載の無線端末機器。
【発明の詳細な説明】
【０００１】
【発明の属する技術分野】
本発明は、無線端末機器に係り、特に、通信相手の無線端末機器との間で無線信号の送受信を行う際に、通信相手の無線端末機器がホットスポットである場合または近距離に無線端末機器である場合に応じて、送受信する無線信号の形成手段を異ならせ、内蔵電池の消耗できるだけを少なくした無線端末機器に関する。
【０００２】
【従来の技術】
近年、ゲーム機用情報端末や携帯用パソコン（ＰＣ）等の携帯用情報端末（ＰＤＡ）には、無線伝送装置を内蔵したものや、カード型無線伝送装置を搭載できる無線端末機器が多くなり、それによって相手側の無線端末機器との間で無線信号による送受信を行うことができるようになっている。
【０００３】
かかる無線端末機器は、屋外にあるホットスポットとの間で無線信号の送受信を行ったり、互いに近距離にある無線端末機器同士間で無線信号の送受信を行ったりすることができるものであり、無線信号の送受信を行うことによって、相手側の無線端末機器から各種の情報を取得したり、ゲームソフト等をダウンロードすることが行われている。この場合、無線端末機器が使用している無線信号は、通常、ホットスポット側がＩＥＥＥ８０２．１１ｂ（ＡＲＩＢ  ＳＴＤ  Ｔ−６６）規格の無線ＬＡＮ（以下、これを１１ｂ規格という）の無線信号を用いているため、ホットスポットとの間で無線信号の送受信を行う場合、１１ｂ規格に適合した無線信号を用いており、それに伴って、ホットスポット以外の他の無線端末機器との間で無線信号の送受信を行う場合においても、１１ｂ規格に適合した無線信号を用いるようになっている。
【０００４】
【発明が解決しようとする課題】
一般に、無線端末機器において、１１ｂ規格に適合した無線信号を形成する際には、データ信号であるベースバンド信号をスペクトル拡散し、得られたスペクトル拡散信号をマッピング回路でマッピングしてＩＱ信号を形成し、形成したＩＱ信号を急峻な通過減衰特性を有する多段能動バンドパスフィルタを通して不要な周波数成分を減衰させた後、ＱＰＳＫ変調して高周波信号を形成し、この高周波信号を無線信号として送信することにより、１１ｂ規格に適合した無線信号を形成している。このような種々の信号処理手段を用いて形成された１１ｂ規格に適合した無線信号は、１０ｍ程度以上の飛距離を必要とするため、１０ｄＢｍ程度の送信電力を有するものが用いられ、それによりホットスポットと複数の無線端末機器との間で無線信号の送受信を行う場合においても、無線端末機器同士の無線信号が相互に妨害を受けることなく、良好な状態で無線信号の送受信を行うことができるものである。
【０００５】
ところで、無線端末機器が１１ｂ規格に適合した無線信号を形成する場合は、前述のように、ベースバンド信号をスペクトル拡散する手段、スペクトル拡散信号をマッピングしてＩＱ信号を形成する手段、ＩＱ信号を能動多段バンドパスフィルタを通して不要な周波数成分を減衰させる手段、ＩＱ信号をＱＰＳＫ変調して高周波信号を形成する手段、高周波信号を無線信号として送信する手段等の各種の信号処理手段を用いているため、それぞれの信号処理手段における電力消費量を総合した全電力消費量はかなり大きな値になり、それにより通信時における無線端末機器の内蔵電池の電力消費量が大幅に増えることになり、内蔵電池の使用寿命が短くなる。
【０００６】
とりわけ、ゲーム機のように無線端末機器が互いに３乃至５ｍ程度またはそれ以下という近距離にあって、これらの無線端末機器同士間で無線信号の送受信を行う場合、無線端末機器の使用時間が比較的長くなることが普通であるので、無線端末機器における内蔵電池の電力消費量が大きいと、その内蔵電池の消耗度が著しく進み、内蔵電池の使用寿命が大幅に短くなってしまう。
【０００７】
本発明は、このような技術的背景に鑑みてなされたもので、その目的は、通信相手の無線端末機器に応じて送受信する無線信号の形式を変更することにより、無線端末機器の内蔵電池の消耗量を抑圧することを可能にした無線端末機器を提供することにある。
【０００８】
【課題を解決するための手段】
前記目的を達成するために、本発明による無線端末機器は通信相手の無線端末機器との間で無線信号を送受信する無線端末機器であって、通信相手の無線端末機器がホットスポットである場合、送受信する無線信号として、ベースバンド信号をスペクトル拡散し、得られたスペクトル拡散信号をマッピングしてＩＱ信号を形成し、形成したＩＱ信号をＱＰＳＫ変調して高周波信号を形成し、この高周波信号による無線信号を選択使用し、通信相手の無線端末機器が近距離にある無線端末機器である場合、送受信する無線信号として、ベースバンド信号を直接変調してＩＱ信号を形成し、形成したＩＱ信号をＱＰＳＫ変調して高周波信号を形成し、この高周波信号による無線信号を選択使用する手段を備える。
【０００９】
前記手段によれば、通信相手の無線端末機器がホットスポットである場合は、ホットスポットで用いている１１ｂ規格の無線信号に適合した無線信号の形成手段を用いて送信信号を形成しているので、ホットスポットと複数の無線端末機器との間で無線信号の送受信を行う場合に、複数の無線端末機器が相互に妨害を受けることなく、ホットスポットとの間で良好な伝送状態により無線信号の送受信を行うことができるとともに、通信相手の無線端末機器が近距離にある無線端末機器である場合は、送受信する無線信号が特に１１ｂ規格に制約されないことから、ベースバンド信号を直接変調してＩＱ信号を形成し、形成したＩＱ信号をＱＰＳＫ変調して高周波信号を形成し、この高周波信号による無線信号を用いるようにしたので、電力消費量を少なくした状態で無線信号を形成することができ、その分、内蔵電池の使用寿命を長くすることができる。
【００１０】
前記手段における近距離にある無線端末機器と無線信号の送受信を行う場合には、ベースバンド信号を直接変調するときにＡＳＫ変調を用いている第１の構成手段を備えている。
【００１１】
前記第１の構成手段によれば、ベースバンド信号の直接変調に、代表的な変調手段の１つであるＡＳＫ変調を用いるようにしたので、スペクトル拡散処理及びマッピング処理を行う場合に比べて、電力消費量を少なくすることができ、かつ、比較的簡単な構成を持つＡＳＫ変調回路の採用が可能になる。
【００１２】
また、前記手段における近距離にある無線端末機器と無線信号の送受信を行う場合には、ベースバンド信号を直接変調するときにＦＳＫ変調を用いている第２の構成手段を備えている。
【００１３】
前記第２の構成手段によれば、ベースバンド信号の直接変調に、やはり代表的な変調手段の１つであるＦＳＫ変調を用いるようにしたので、スペクトル拡散処理及びマッピング処理を行う場合に比べて、電力消費量を少なくすることができ、かつ、比較的簡単な構成を持つＦＳＫ変調回路の採用が可能になる。
【００１４】
さらに、前記手段における近距離にある無線端末機器と無線信号の送受信を行う場合には、前記ホットスポットと無線信号の送受信を行う場合に比べて、送信する無線信号の出力電力レベルを低下させる第３の構成手段を備えている。
【００１５】
前記第３の構成手段によれば、送信する無線信号の出力電力レベルを低下させたことにより、電力増幅器における電力消費量を少なくすることができ、直接変調を用いたことと相俟って、電力消費量をさらに少なくすることができる。
【００１６】
【発明の実施の形態】
以下、本発明の実施の形態を図面を参照して説明する。
【００１７】
図１は、本発明による無線端末機器の実施の形態を示すもので、その要部構成を示すブロック図である。
【００１８】
図１に示されるように、この実施の形態に係る無線端末機器は、ベースバンド（ＢＢ）ＩＣ（１Ａ）と高周波（ＲＦ）モジュール（１Ｂ）の２つの回路部分とからなっている。
【００１９】
この場合、ベースバンドＩＣ（１Ａ）は、ベースバンド（データ）信号入力端子２と、第１スイッチ３と、スペクトル拡散部（ＳＰＲ）４と、マッピング回路部（ＭＡＰ）５と、ＡＳＫ変調部６と、第２スイッチ７と、第３スイッチ８と、Ｉ信号出力端子９と、Ｑ信号出力端子１０と、Ｉ信号入力端子１１と、Ｑ信号入力端子１２と、第４スイッチ１３と、第５スイッチ１４と、第１データ再生部（ＲＥＰ１）１５と、第２データ再生部（ＲＥＰ２）１６と、第６スイッチ１７と、ベースバンド（データ）信号出力端子１８と、制御部（ＣＰＵ）１９と、制御信号出力端子２０とを備えている。この場合、第１乃至第６スイッチ３、７、８、１３、１４、１７は、それぞれ、可動接点と２つの固定接点を備えた１回路２接点タイプのスイッチによって構成されている。
【００２０】
また、高周波モジュール（１Ｂ）は、Ｉ信号入力端子２１と、Ｑ信号入力端子２２と、Ｉ信号能動バンドパスフィルタ（ＢＰＦ）２３と、Ｑ信号能動バンドパスフィルタ（ＢＰＦ）２４と、Ｉ信号ミキサ（ＭＩＸ）２５と、Ｑ信号ミキサ（ＭＩＸ）２６と、可変利得増幅器（Ｖ  ＡＭＰ）２７と、送信側平衡回路（Ｂａｌ）２８と、電力増幅器（ＰＡ）２９と、送受信切替スイッチ部（ＴＲＳＷ）３０と、バンドパスフィルタ（ＢＰＦ）３１と、ダイバーシティ切替部（ＤｉｖＳＷ）３２と、受信側平衡回路（Ｂａｌ）３３と、受信増幅器（ＡＭＰ）３４と、Ｉ信号ミキサ（ＭＩＸ）３５と、Ｑ信号ミキサ（ＭＩＸ）３６と、Ｉ信号増幅器（ＡＭＰ）３７と、Ｑ信号増幅器（ＡＭＰ）３８と、Ｉ信号能動バンドパスフィルタ（ＢＰＦ）３９と、Ｑ信号能動バンドパスフィルタ（ＢＰＦ）４０と、Ｉ信号出力端子４１と、Ｑ信号出力端子４２と、２つの内蔵アンテナ４３、４４と、局部発振器（Ｌ  ＯＳＣ）４５と、水晶振動子４６と、制御信号入力端子４７とからなっている。
【００２１】
そして、ベースバンドＩＣ（１Ａ）において、第１スイッチ３は、可動接点がベースバンド信号入力端子２に、第１の固定接点がスペクトル拡散部４の入力端に、第２の固定接点がＡＳＫ変調部６の入力端にそれぞれ接続される。スペクトル拡散部４は、複数の出力端が対応するマッピング回路部５の複数の入力端に接続される。第２のスイッチ７は、可動接点がＩ信号出力端子９に、第１の固定接点がマッピング回路部５のＩ信号出力端に、第２の固定接点がＡＳＫ変調部６のＩ信号出力端にそれぞれ接続される。第３のスイッチ８は、可動接点がＱ信号出力端子１０に、第１の固定接点がマッピング回路部５のＱ信号出力端に、第２の固定接点がＡＳＫ変調部６のＱ信号出力端にそれぞれ接続される。第４のスイッチ１３は、可動接点がＩ信号入力端子１１に、第１の固定接点が第１データ再生部１５のＩ信号入力端に、第２の固定接点が第２データ再生部１６のＩ信号入力端にそれぞれ接続される。第５のスイッチ１４は、可動接点がＱ信号入力端子１２に、第１の固定接点が第１データ再生部１５のＱ信号入力端に、第２の固定接点が第２データ再生部１６のＱ信号入力端にそれぞれ接続される。第６のスイッチ１７は、可動接点がベースバンド信号出力端子１８に、第１の固定接点が第１データ再生部１５の出力端に、第２の固定接点が第２データ再生部１６の出力端にそれぞれ接続される。制御部１９は、制御出力端が制御信号出力端子２０に接続される。
【００２２】
また、高周波モジュール（１Ｂ）において、Ｉ信号能動バンドパスフィルタ２３は、入力端がＩ信号入力端子２１に接続され、出力端がＩ信号ミキサ２５の第１の入力端に接続される。Ｑ信号能動バンドパスフィルタ２４は、入力端がＱ信号入力端子２２に接続され、出力端がＱ信号ミキサ２６の第１の入力端に接続される。Ｉ信号ミキサ２５は、第２の入力端が局部発振器４５の第１の出力端に接続され、出力端が可変利得増幅器２７の入力端に接続される。Ｑ信号ミキサ２６は、第２の入力端が局部発振器４５の第２の出力端に接続され、出力端が可変利得増幅器２７の入力端に接続される。可変利得増幅器２７は、出力端が送信側平衡回路２８の入力端に接続され、送信側平衡回路２８は、出力端が電力増幅器２９の入力端に接続される。送受信切替スイッチ部３０は、入力端が電力増幅器２９の出力端に接続され、入出力端がバンドパスフィルタ３１の一方の入出力端に接続され、出力端が受信側平衡回路３３の入力端に接続される。ダイバーシティ切替部３２は、入出力端がバンドパスフィルタ３１の他方の入出力端に接続され、第１のアンテナ接続端が内蔵アンテナ４３に、第２のアンテナ接続端が内蔵アンテナ４４にそれぞれ接続される。
【００２３】
受信増幅器３４は、入力端が受信側平衡回路３３の出力端に接続され、出力端がＩ信号ミキサ３５の第１の入力端及びＱ信号ミキサ３６の第１の入力端にそれぞれ接続される。Ｉ信号ミキサ３５は、第２の入力端が局部発振器４５の第３の出力端に接続され、出力端がＩ信号増幅器３７の入力端に接続される。Ｑ信号ミキサ３６は、第２入力端が局部発振器４５の第４の出力端に接続され、出力端がＱ信号増幅器３８の入力端に接続される。バンドパスフィルタ３９は、入力端がＩ信号増幅器３７の出力端に接続され、出力端がＩ信号出力端子４１に接続される。バンドパスフィルタ４０は、入力端がＱ信号増幅器３８の出力端に接続され、出力端がＱ信号出力端子４２に接続される。なお、局部発振器４５には、水晶振動子４６が外部接続されている。
【００２４】
さらに、ベースバンドＩＣ（１Ａ）のＩ信号出力端子９と高周波モジュール（１Ｂ）のＩ信号入力端子２１とが接続され、ベースバンドＩＣ（１Ａ）のＱ信号出力端子１０と高周波モジュール（１Ｂ）のＱ信号入力端子２２とが接続される。高周波モジュール（１Ｂ）のＩ信号出力端子４１とベースバンドＩＣ（１Ａ）のＩ信号入力端子１１とが接続され、高周波モジュール（１Ｂ）のＱ信号出力端子４２とベースバンドＩＣ（１Ａ）のＱ信号入力端子１２とが接続される。ベースバンドＩＣ（１Ａ）の制御信号出力端子２０と高周波モジュール（１Ｂ）の制御信号入力端子４７とが接続される。
【００２５】
前記構成を備えた無線端末機器は、次のように動作する。
【００２６】
いま、当該無線端末機器が送受信を行う相手側の無線端末機器として、屋外に配置されているホットスポットを選択した場合は、ホットスポットにおける伝送信号規格であるところの１１ｂ規格による通信が行われるもので、当該無線端末機器のベースバンドＩＣ（１Ａ）にある第１乃至第３スイッチ３、７、８の各可動接点をそれぞれ第１の固定接点側に切替えるとともに、第４乃至第６スイッチ１３、１４、１７の各可動接点をそれぞれ第１の固定接点側に切替える（この状態を第１の切替状態という）。この場合、第１乃至第６スイッチ３、７、８、１３、１４、１７は、制御部１９の制御により連動して切替えられる。第１の切替状態になると、スペクトル拡散部４及びマッピング回路部５と、第１データ再生部１５が信号処理回路に挿入接続され、ＡＳＫ変調部６と第２データ再生部１６が信号処理回路から離脱された状態に設定される。
【００２７】
このとき、当該無線端末機器において送信信号を形成する場合は、まず、ベースバンドＩＣ（１Ａ）において、データ信号がベースバンド信号入力端子２及び切替えられた第１スイッチ３を通してスペクトル拡散部４に供給されると、スペクトル拡散部４がそのデータ信号をスペクトル拡散して種々の周波数スペクトルを有する複数のスペクトル拡散信号を形成し、形成した複数のスペクトル拡散信号をマッピング回路部５に供給する。マッピング回路部５は、供給された複数のスペクトル拡散信号をマッピング処理してＩ信号とＱ信号を形成し、得られたＩ信号を切替えられた第２スイッチ７を通してＩ信号出力端子９に供給し、同じように、得られたＱ信号を切替えられた第３スイッチ８を通してＱ信号出力端子１０に供給する。この後、Ｉ信号はＩ信号出力端子９からＩ信号入力端子２１に伝送供給され、Ｑ信号はＱ信号出力端子１０からＱ信号入力端子２２に伝送供給される。
【００２８】
次いで、高周波モジュール（１Ｂ）において、Ｉ信号入力端子２１に供給されたＩ信号は、多段構成のＩ信号能動バンドパスフィルタ２３において不要な周波数成分が十分に除去され、Ｉ信号ミキサ２５に供給され、同様に、Ｑ信号入力端子２２に供給されたＱ信号は、多段構成のＱ信号能動バンドパスフィルタ２４において不要な周波数成分が十分に除去され、Ｑ信号ミキサ２６に供給される。Ｉ信号ミキサ２５は、供給されたＩ信号と局部発振器４５から供給された局部発振信号とを用いてＱＰＳＫ変調による送信高周波Ｉ信号を形成し、この送信高周波Ｉ信号を可変利得増幅器２７に供給し、Ｑ信号ミキサ２６は、供給されたＱ信号と局部発振器４５から供給された局部発振信号とを用いてＱＰＳＫ変調による送信高周波Ｑ信号を形成し、この送信高周波Ｑ信号を可変利得増幅器２７に供給する。可変利得増幅器２７は、第１の切替状態のとき、制御部１９から制御信号出力端子２０及び制御信号入力端子４７を通して供給される利得制御信号により、信号利得が最大になるように設定されており、その最大利得で送信高周波Ｉ信号及び送信高周波Ｑ信号の混合信号を増幅し、送信高周波信号を形成する。増幅された送信高周波信号は、送信側平衡回路２８を通して電力増幅器２９に供給され、そこで送信高周波信号が送信するのに適した電力レベル、例えば１０ｄＢｍ程度になるように電力増幅されて送受信切替スイッチ部３０に供給される。送受信切替スイッチ部３０は、信号送信時に送信高周波信号を伝送するように切替られており、それにより送信高周波信号が送受信切替スイッチ部３０を通してバンドパスフィルタ３１に供給される。送信高周波信号は、バンドパスフィルタ３１において不要な周波数成分が除去され、ダイバーシティ切替部３２に供給される。ダイバーシティ切替部３２は、供給された送信高周波信号を内蔵アンテナ４３、４４からそれぞれ無線信号として送信する。
【００２９】
これに対して、当該無線端末機器において無線信号を受信する場合は、高周波モジュール（１Ｂ）において、内蔵アンテナ４３、４４で無線信号を受信すると、ダイバーシティ切替部３２が受信した２つの無線信号の中の良好な受信状態のものを受信高周波信号として選択し、選択した受信高周波信号をバンドパスフィルタ３１に供給する。受信高周波信号は、バンドパスフィルタ３１において不要な周波数成分が除去され、送受信切替スイッチ部３０に供給される。送受信切替スイッチ部３０は、信号受信時に受信高周波信号を伝送するように切替られており、それにより受信高周波信号が送受信切替スイッチ部３０を通して受信側平衡回路３３に供給される。この後、受信高周波信号は、受信側平衡回路３３を通して受信増幅器３４に供給され、適当な信号レベルになるように増幅される。増幅された受信高周波信号は、２分され、その一方がＩ信号ミキサ３５に供給され、他方がＱ信号ミキサ３６に供給される。Ｉ信号ミキサ３５は、供給された受信高周波信号と局部発振器４５から供給された局部発振信号とを用いてＱＰＳＫ復調を行い、ＱＰＳＫ復調信号をＩ信号増幅器３７に供給する。同様に、Ｑ信号ミキサ３６は、供給された受信高周波信号と局部発振器４５から供給された局部発振信号とを用いてＱＰＳＫ復調を行い、ＱＰＳＫ復調信号をＱ信号増幅器３８に供給する。Ｉ信号増幅器３７は、供給されたＱＰＳＫ復調信号を所定信号レベルになるまで増幅し、増幅ＱＰＳＫ復調信号をＩ信号能動バンドパスフィルタ３９に供給する。同様に、Ｑ信号増幅器３８は、供給されたＱＰＳＫ復調信号を所定信号レベルになるまで増幅し、増幅ＱＰＳＫ復調信号をＱ信号能動バンドパスフィルタ４０に供給する。多段構成のＩ信号能動バンドパスフィルタ３９は、供給された増幅ＱＰＳＫ復調信号の中の不要な周波数成分を十分に除去してＩ信号を抽出し、このＩ信号をＩ信号出力端子４１に供給し、同じく、多段構成のＱ信号能動バンドパスフィルタ４０は、供給された増幅ＱＰＳＫ復調信号の中の不要な周波数成分を十分に除去してＱ信号を抽出し、このＱ信号をＱ信号出力端子４２に供給する。この後、Ｉ信号はＩ信号出力端子４１からＩ信号入力端子１１に伝送供給され、Ｑ信号はＱ信号出力端子４２からＱ信号入力端子１２に伝送供給される。
【００３０】
次に、ベースバンドＩＣ（１Ａ）において、Ｉ信号入力端子１１に供給されたＩ信号は、切替えられた第４スイッチ１３を通して第１データ再生部１５に供給され、Ｑ信号入力端子１２に供給されたＱ信号は、切替えられた第５スイッチ１４を通して第１データ再生部１５に供給される。第１データ再生部１５は、供給されたＩ信号及びＱ信号に対応してマッピング回路部５で行われた信号処理と逆の信号処理及びスペクトル拡散部４で行われた信号処理と逆の信号処理をそれぞれ行ってデータ信号を再生する。得られたデータ信号は、切替えられた第６スイッチ１７を通してベースバンド信号出力端子１８に供給される。
【００３１】
一方で、当該無線端末機器がゲーム機情報端末であって、当該無線端末機器が送受信を行う相手側の無線端末機器として、同じ部屋内等の近距離にある他のゲーム機情報端末を選択した場合は、伝送信号規格として１１ｂの規格を用いる必要がないものであるため、当該無線端末機器のベースバンドＩＣ（１Ａ）にある第１乃至第３スイッチ３、７、８の各可動接点をそれぞれ第２の固定接点側に切替えるとともに、第４乃至第６スイッチ１３、１４、１７の各可動接点をそれぞれ第２の固定接点側に切替える（この状態を第２の切替状態という）。この場合も、第１乃至第６スイッチ３、７、８、１３、１４、１７は、制御部１９の制御により連動して切替えられる。第２の切替状態になると、ＡＳＫ変調部６と第２データ再生部１６が信号処理回路に挿入接続され、スペクトル拡散部４及びマッピング回路部５と、第１データ再生部１５が信号処理回路から離脱された状態に設定される。
【００３２】
このとき、当該無線端末機器において送信信号を形成する場合は、始めに、ベースバンドＩＣ（１Ａ）において、データ信号がベースバンド信号入力端子２及び切替えられた第１スイッチ３を通してＡＳＫ変調部６に供給されると、ＡＳＫ変調部６が供給されたデータ信号を用いてＡＳＫ変調を行ってＡＳＫ変調Ｉ信号とＡＳＫ変調Ｑ信号とを形成し、得られたＡＳＫ変調Ｉ信号を切替えられた第２スイッチ７を通してＩ信号出力端子９に供給し、同じように、得られたＡＳＫ変調Ｑ信号を切替えられた第３スイッチ８を通してＱ信号出力端子１０に供給する。この後、ＡＳＫ変調Ｉ信号はＩ信号出力端子９からＩ信号入力端子２１に伝送供給され、ＡＳＫ変調Ｑ信号はＱ信号出力端子１０からＱ信号入力端子２２に伝送供給される。
【００３３】
次に、高周波モジュール（１Ｂ）において、この高周波モジュール（１Ｂ）の動作は前述の第１の状態における動作と殆ど同じで、Ｉ信号入力端子２１に供給されたＡＳＫ変調Ｉ信号は、Ｉ信号能動バンドパスフィルタ２３で不要な周波数成分が十分に除去されてＩ信号ミキサ２５に供給され、Ｑ信号入力端子２２に供給されたＡＳＫ変調Ｑ信号は、Ｑ信号能動バンドパスフィルタ２４で不要な周波数成分が十分に除去されてＱ信号ミキサ２６に供給される。このとき、Ｉ信号ミキサ２５は、供給されたＡＳＫ変調Ｉ信号と局部発振器４５から供給された局部発振信号とを用いてＱＰＳＫ変調による送信高周波Ｉ信号を形成し、この送信高周波Ｉ信号を可変利得増幅器２７に供給し、Ｑ信号ミキサ２６は、供給されたＡＳＫ変調Ｑ信号と局部発振器４５から供給された局部発振信号とを用いてＱＰＳＫ変調による送信高周波Ｑ信号を形成し、この送信高周波Ｑ信号を可変利得増幅器２７に供給する。可変利得増幅器２７は、第２の切替状態のとき、制御部１９から制御信号出力端子２０及び制御信号入力端子４７を通して供給される利得制御信号により、信号利得が最大よりも低位になるように設定され、その低位利得により送信高周波Ｉ信号及び送信高周波Ｑ信号の混合信号を増幅し、送信高周波信号を形成する。増幅された送信高周波信号は、送信側平衡回路２８を通して電力増幅器２９に供給され、そこで送信高周波信号が送信するのに適した低位の電力レベル、例えば０ｄＢｍ程度になるように電力増幅されて送受信切替スイッチ部３０に供給される。送受信切替スイッチ部３０は、信号送信時に、前述のような送信高周波信号の伝送状態に切替られているため、送信高周波信号が送受信切替スイッチ部３０を通してバンドパスフィルタ３１に供給される。送信高周波信号は、バンドパスフィルタ３１で不要な周波数成分が除去され、ダイバーシティ切替部３２に供給される。ダイバーシティ切替部３２は、供給された送信高周波信号を内蔵アンテナ４３、４４からそれぞれ無線信号として送信する。
【００３４】
また、当該無線端末機器において相手側無線端末機器からの無線信号を受信する場合は、高周波モジュール（１Ｂ）において、内蔵アンテナ４３、４４で無線信号を受信すると、ダイバーシティ切替部３２が受信した２つの無線信号の中の良好な受信状態のものを受信高周波信号として選択し、選択した受信高周波信号をバンドパスフィルタ３１に供給する。受信高周波信号は、バンドパスフィルタ３１で不要な周波数成分が除去され、送受信切替スイッチ部３０に供給される。送受信切替スイッチ部３０は、信号受信時に前述のような受信高周波信号の伝送状態に切替えられているため、受信高周波信号が送受信切替スイッチ部３０を通して受信側平衡回路３３に供給される。この後、受信高周波信号は、受信側平衡回路３３を通して受信増幅器３４に供給され、適当な信号レベルになるまで増幅される。増幅された受信高周波信号は、一方がＩ信号ミキサ３５に供給され、他方がＱ信号ミキサ３６に供給される。Ｉ信号ミキサ３５は、供給された受信高周波信号と局部発振器４５から供給された局部発振信号とを用いてＱＰＳＫ復調し、ＱＰＳＫ復調信号をＩ信号増幅器３７に供給し、Ｑ信号ミキサ３６は、供給された受信高周波信号と局部発振器４５から供給された局部発振信号とを用いてＱＰＳＫ復調し、ＱＰＳＫ復調信号をＱ信号増幅器３８に供給する。Ｉ信号増幅器３７は、供給されたＱＰＳＫ復調信号を所定信号レベルにまで増幅し、増幅ＱＰＳＫ復調信号をＩ信号能動バンドパスフィルタ３９に供給する。同様に、Ｑ信号増幅器３８は、供給されたＱＰＳＫ復調信号を所定信号レベルになるまで増幅し、増幅ＱＰＳＫ復調信号をＱ信号能動バンドパスフィルタ４０に供給する。Ｉ信号能動バンドパスフィルタ３９は、供給された増幅ＱＰＳＫ復調信号の中の不要な周波数成分を十分に除去してＡＳＫ変調Ｉ信号を抽出し、このＡＳＫ変調Ｉ信号をＩ信号出力端子４１に供給し、Ｑ信号能動バンドパスフィルタ４０は、供給された増幅ＱＰＳＫ復調信号の中の不要な周波数成分を十分に除去してＱ信号を抽出し、このＱ信号をＱ信号出力端子４２に供給する。この後、ＡＳＫ変調Ｉ信号はＩ信号出力端子４１からＩ信号入力端子１３に伝送供給され、ＡＳＫ変調Ｑ信号はＱ信号出力端子４２からＱ信号入力端子１２に伝送供給される。
【００３５】
次に、ベースバンドＩＣ（１Ａ）において、Ｉ信号入力端子１１に供給されたＡＳＫ変調Ｉ信号は、切替えられた第４スイッチ１３を通して第２データ再生部１６に供給され、Ｑ信号入力端子１２に供給されたＡＳＫ変調Ｑ信号は、切替えられた第５スイッチ１４を通して第２データ再生部１６に供給される。第２データ再生部１６は、供給されたＡＳＫ変調Ｉ信号及びＡＳＫ変調Ｑ信号をそれぞれＡＳＫ復調し、データ信号を再生する。得られたデータ信号は、切替えられた第６スイッチ１７を通してベースバンド信号出力端子１８に供給される。
【００３６】
このように本実施の形態による無線端末機器によれば、通信相手の無線端末機器がホットスポットであって、１１ｂ規格を用いた通信を行う必要がある場合、送信されるデータ信号に対してスペクトル拡散処理及びマッピング処理を行って、隣接チャネルの無線信号に対する妨害の発生が最小限になるようにし、一方、通信相手の無線端末機器が３乃至５ｍまたはそれ以下の近距離にある無線端末機器であって、必ずしも１１ｂ規格を用いた通信を行う必要がない場合、送信されるデータ信号に対してスペクトル拡散処理及びマッピング処理を行わずに、ＡＳＫ変調処理を行って、内蔵電源の消費量を抑えるようにしたので、従来のこの種の無線端末機器に比べて、内蔵電源の使用寿命をかなり長くすることができる。
【００３７】
なお、前記実施の形態においては、第２の状態のときに、データ信号を直接変調する手段として、ＡＳＫ変調器６を用いたＡＳＫ変調処理が行われた例を挙げて説明したが、本発明によるデータ信号を直接変調する手段は、ＡＳＫ変調処理に限られるものではなく、ＦＳＫ変調器を用いたＦＳＫ変調処理が行われるようにしてもよい。
【００３８】
また、前記実施の形態においては、可変利得増幅器２７の信号利得を、第２の状態のときに、第１の状態のときの最大利得に対して、最大利得より低い中位利得になるように低下させている例を挙げて説明したが、本発明においては、第２の状態のときであっても、スペクトル拡散処理及びマッピング処理を行わないことにより、内蔵電池の電力消費量をかなり低減できるため、電力可変利得増幅器２７の信号利得を必ずしも低下させる必要がないものである。
【００３９】
すなわち、第２の状態のときに、可変利得増幅器２７の信号利得を低下させれば、電力増幅器２９の電力消費量がその分だけ低下するので好ましいことではあるが、直接変調する手段の採用により内蔵電源の消費量の大きな低下を期待できるので、可変利得増幅器２７の信号利得を低下させる手段は、必要に応じて採用することで十分足りるものである。
【００４０】
【発明の効果】
以上のように、本発明によれば、通信相手の無線端末機器がホットスポットである場合は、ホットスポットで用いている１１ｂ規格の無線信号に適合した無線信号の形成手段を用いて送信信号を形成しているので、ホットスポットと複数の無線端末機器との間で無線信号の送受信を行う場合に、複数の無線端末機器が相互に妨害を受けることなく、ホットスポットとの間で良好な伝送状態により無線信号の送受信を行うことができるとともに、通信相手の無線端末機器が近距離にある無線端末機器である場合は、送受信する無線信号が特に１１ｂ規格に制約されないことから、ベースバンド信号を直接変調してＩＱ信号を形成し、形成したＩＱ信号をＱＰＳＫ変調して高周波信号を形成し、この高周波信号による無線信号を用いるようにしたので、電力消費量を少なくした状態で無線信号を形成することができ、その分、内蔵電池の使用寿命を長くすることができるという効果がある。
【図面の簡単な説明】
【図１】本発明による無線端末機器の実施の形態を示すもので、その要部構成を示すブロック図である。
【符号の説明】
１Ａ  ベースバンド（ＢＢ）ＩＣ
１Ｂ  高周波（ＲＦ）モジュール
２  ベースバンド（データ）信号入力端子
３  第１スイッチ
４  スペクトル拡散部（ＳＰＲ）
５  マッピング回路部（ＭＡＰ）
６  ＡＳＫ変調部
７  第２スイッチ
８  第３スイッチ
９  Ｉ信号出力端子
１０  Ｑ信号出力端子
１１  Ｉ信号入力端子
１２  Ｑ信号入力端子
１３  第４スイッチ
１４  第５スイッチ
１５  第１データ再生部（ＲＥＰ１）
１６  第２データ再生部（ＲＥＰ２）
１７  第６スイッチ
１８  ベースバンド（データ）信号出力端子
１９  制御部（ＣＰＵ）
２０  制御信号出力端子
２１  Ｉ信号入力端子
２２  Ｑ信号入力端子
２３  Ｉ信号能動バンドパスフィルタ（ＢＰＦ）
２４  Ｑ信号能動バンドパスフィルタ（ＢＰＦ）
２５  Ｉ信号ミキサ（ＭＩＸ）
２６  Ｑ信号ミキサ（ＭＩＸ）
２７  可変利得増幅器（Ｖ  ＡＭＰ）
２８  送信側平衡回路
２９  電力増幅器（ＰＡ）
３０  送受信切替スイッチ部（ＴＲＳＷ）
３１  バンドパスフィルタ（ＢＰＦ）
３２  ダイバーシティ切替部（ＤｉｖＳＷ）
３３  受信側平衡回路
３４  受信増幅器（ＡＭＰ）
３５  Ｉ信号ミキサ（ＭＩＸ）
３６  Ｑ信号ミキサ（ＭＩＸ）
３７  Ｉ信号増幅器（ＡＭＰ）
３８  Ｑ信号増幅器（ＡＭＰ）
３９  Ｉ信号能動バンドパスフィルタ（ＢＰＦ）
４０  Ｑ信号能動バンドパスフィルタ（ＢＰＦ）
４１  Ｉ信号出力端子
４２  Ｑ信号出力端子
４３、４４  内蔵アンテナ
４５  局部発振器（Ｌ  ＯＳＣ）
４６  水晶振動子
４７  制御信号入力端子
【図１】
2005020493.tif 000003